(57)【要約】本発明による管継手は、本体（１．１）およびナット（２）を備える管継手である。前記本体（１．１）は少なくとも１つのスリーブを有し、前記スリーブは、パイプ端部（７）を密接な様態で受け入れるようにされ、雄ネジ切部（１４）および差込み部（１１）を有し、前記差込み部（１１）は、部分的にテーパー付けされた外側前方部（１２）をその先端部において有し、前記ナット（２）は前記スリーブ上の雄ネジ切部（１４）と整合する雌ネジ切部と、前記雌ネジ切部の遠端部にある内部テーパー（１０）とを有し、前記前方部、テーパーおよび雌ネジ切部の構成は、前記スリーブおよび前記ナットがねじ締結されると、前記差込み部（１１）の前方部は前記ナットの内部テーパー（１０）と接触して内側方向に撓み、これにより前記スリーブ内のパイプ端部（７）を把握および密封するような構成になっている。
2004527704.tif 000002
【特許請求の範囲】
【請求項１】
本体およびナットを備える管継手であって、
前記本体は少なくとも１つのスリーブを有し、前記スリーブは、パイプ端部を密接な様態で受け入れるようにされ、雄ネジ切部および差込み部を有し、前記差込み部は、部分的にテーパー付けされた外側前方部をその先端部において有し、
前記ナットは前記スリーブ上の雄ネジ切部と整合する雌ネジ切部と、前記雌ネジ切部の遠端部にある内部テーパーとを有し、
前記前方部、テーパーおよび雌ネジ切部の構成は、前記スリーブおよび前記ナットがねじ締結されると、前記差込み部の前方部は前記ナットの内部テーパーと接触して内側方向に撓み、これにより前記スリーブ内のパイプ端部を把握および密封するような構成になっている、
管継手。
【請求項２】
前記差込み部の前方部は、前記差込み部の前方部表面が前記スリーブの内側壁に対して９０°となるように切頭テーパーを備える、請求項１に記載の管継手。
【請求項３】
前記差込み部の前方部上の前記外側テーパーの角度は５０°と８０°との間であり、前記ナット上の内部テーパーの角度は、前記外側テーパーの角度よりも少なくとも１０°小さくかつ５０°から３０°の範囲である、請求項１または２に記載の管継手。
【請求項４】
前記差込み部の前方部上の外側テーパーの角度は、９０°の前方部に対して７０°で伸び、前記ナット上の内部テーパーは４５°である、前記請求項のいずれかに記載の管継手。
【請求項５】
前記外側テーパーの角度および前記内部テーパーの角度は同じである、前記請求項のいずれかに記載の管継手。
【請求項６】
前記差込み部の前方部は曲線状の形状である、前記請求項のいずれかに記載の管継手。
【請求項７】
前記本体はカップリングである、前記請求項のいずれかに記載の管継手。
【請求項８】
前記本体はティーである、請求項１〜６のいずれかに記載の管継手。
【請求項９】
前記本体はベンドである、請求項１〜６のいずれかに記載の管継手。
【請求項１０】
前記本体はクロスである、請求項１〜６のいずれかに記載の管継手。
【請求項１１】
パイプを接合する方法であって、前記請求項のいずれかに記載の管継手にパイプを挿入し、前記スリーブおよびナットを共にねじ締結する方法。
【発明の詳細な説明】
【技術分野】
【０００１】
本発明は、パイプを相互接続させる際およびパイプを他の取り付け用構成部品に接続させる際に用いられる管継手に関する。
【背景技術】
【０００２】
従来の管継手は、パイプを相互接続させる際およびパイプを他の取り付け用構成部品に接続させる際に用いられる。最も簡単な形態の管継手の場合、管継手が含む本体には外部ねじ込み式ソケットが付いており、この外部ねじ込み式ソケットには、パイプ端部がエンドストップに突き当たるまでパイプ端部が挿入される。パイプ端部がソケットに挿入される前、パイプ端部は内部ねじ込み式ナットおよびフェルールに通される。フェルールは、その形状から配管業界において「オリーブ」と呼ばれることが多い。フェルールはパイプを包囲し、ソケット端部と接触する。ナットがソケットにねじ込まれ締結されると、オリーブはパイプに当たって砕け、これにより、シールと、パイプを把握してパイプがソケットから抜けるのを防ぐ手段とが形成される。この本体には、用途に応じてソケットを１つ、２つ、または３つ以上設けることができる。本体の例としては、ティー、ベンド、カップリングおよびクロスがある。
【０００３】
図面中、図１は、従来の管継手を用いて、パイプを相互接続させ、他の取り付け用構成部品に接続させる様態を示す。
【０００４】
図１は、水が流れて漏れる経路が３つあり得ることを示している。
【０００５】
矢印４は、パイプとオリーブとの間で水が流れ得ることを示す。矢印５は、水がまず本体とオリーブとの間で流れ、その後オリーブとナットとの間で流れ得ることを示す。矢印６は、水がナットと本体との間で流れ得ることを示す。
【０００６】
図面中、図２を参照して、本発明者による早期の発明による継手が示されている。これは、この発明の場合、水が流れ得る経路は２つあることを示している。通常水漏れは無いが、いくつかの場合に漏れが発生し得る可能性がある。漏れがある場合、矢印９にて示すように水は本体とナットとの間を流れるか、または、矢印８にて示すようにパイプとナットとの間を流れ得る。
【０００７】
この早期の発明の場合、従来技術に対して特に以下のような利点が得られる。
【０００８】
ｌ．水漏れの可能性がある経路の数が３つから２つに低減された点。
【０００９】
２．同様の継手を製造するのに必要な材料の量を大幅に低減できた点。
【発明の開示】
【発明が解決しようとする課題】
【００１０】
本発明の目的は、上記の利点をさらに改善することである。
【課題を解決するための手段】
【００１１】
本発明による管継手は、本体およびナットを備える管継手であって、前記本体は少なくとも１つのスリーブを有し、前記スリーブは、パイプ端部を密接な様態で受け入れるようにされ、雄ネジ切部および差込み部を有し、前記差込み部は、部分的にテーパー付けされた外側前方部を自身の先端部において有し、前記ナットは前記スリーブ上の雄ネジ切部と整合する雌ネジ切部と、前記雌ネジ切部の遠端部にある内部テーパーとを有し、前記前方部、テーパーおよび雌ネジ切部の構成は、前記スリーブおよび前記ナットがねじ締結されると、前記差込み部の前方部は前記ナットの内部テーパーと接触して内側方向に撓み、これにより前記スリーブ内のパイプ端部を把握および密封するような構成になっている。
【００１２】
さらに、本発明によると、前記差込み部の前方部は、前記差込み部の前方部表面が前記スリーブの内側壁に対して９０°となるように切頭テーパーを有する。
【００１３】
さらに、本発明によると、前記差込み部の前方部上の外側テーパーの角度は、５０°と８０°との間であり、前記ナット上の内部テーパーの角度は、前記外側テーパーの角度よりも少なくとも１０°少なくかつ５０°〜３０°の範囲である。
【００１４】
さらに、本発明によると、前記差込み部の前方部上の外側テーパーの角度は、９０°の前方部に対して７０°で伸び、前記ナット上の内部テーパーは４５°である。
【００１５】
さらに、本発明によると、前記外側テーパーの角度および前記内部テーパーの角度は同じである。
【００１６】
さらに、本発明によると、前記差込み部の前方部は曲線状の形状である。
【００１７】
さらに、本発明によると、本体はカップリングである。
【００１８】
さらに、本発明によると、本体はティーである。
【００１９】
さらに、本発明によると、本体はベンドである。
【００２０】
さらに、本発明によると、本体はクロスである。
【００２１】
さらに、本発明によると、本体は止めである。
【００２２】
さらに、本発明は、パイプを接合する方法を含む。この方法において、本発明による管継手にパイプを挿入し、前記スリーブおよびナットを共にねじ締結する。
【発明の効果】
【００２３】
本発明によれば、漏れが発生した場合、水の流れる方向は一方向しかない。その方向とは、パイプに沿ってパイプ／本体間を通過し、パイプ上の凹部およびナットを通過する経路である。
【００２４】
この特徴は、上述の早期発明と比べて大幅な改善である。また、本発明による管継手の作製に要する材料量は、従来の継手および上述の早期発明による継手と比較して大幅に少なくてすみ、これもさらなる利点である。
【００２５】
本発明による管継手は、国内、産業、商業、農業部門など、無限の用途に用いられる。
【発明を実施するための最良の形態】
【００２６】
本発明の一形態は、図３に示すカップリング本体１および図４に示すナット２を含む管継手である。カップリング本体１の両端部には、雄ネジ１４および差込み部１１が設けられている。差込み部１１の詳細を図５に示す。この差込み部には、角度７０°のテーパー１２と、角度９０°の鼻部１３とがある。内部止め２２が設けられている。この止め２２は、取り付け対象パイプの端部と隣接する（図７を参照）。
【００２７】
ナット２はスリーブ２０を有し、スリーブ２０は、カップリング本体１の雄ネジ１４と整合する雌ネジ１９を有する。雌ネジ１９は、ナット２の一開口部から始端し、遠端部近隣のテーパー１０に向かって内側に伸びる。テーパー１０から他開口端部に向かって円筒部２１がある。カップリング本体１の代わりに、図６に示す開口部が３つあるＴ字型本体１．１やあるいは開口部が４つあるクロス（図示せず）を用いてもよい。各分岐には、雄ネジ１４と、テーパー１２および扁平鼻部１３を有する差込み部１１とがある。
【００２８】
本発明の作動方法については、図７を参照すると最良に理解できる。
【００２９】
パイプ７がナット２中を通過し、止め２２に押し付けられる。参照符号１７において、Ｔ字型本体１．１にはめ込まれる前のナットが示されている。参照符号１６において、圧縮状態のナット（すなわち、はめ込みおよび締結後のナット）が示されている。差込み部１１がナット２の遠端部に近付くと、そのテーパー１２はテーパー１０と係合し、内側に撓む。
【００３０】
９０°の鼻部１３は、パイプ７に「噛み」付いてパイプ７を把握する。
【００３１】
差込み部１１上のテーパー部分１２は７０°であってもよく、ナット２上のテーパー１０は４５°であってもよい。この構成により、ナット２締結に必要なトルクレベルが大幅に低減される。ナット２の締結が進むにつれ、テーパー１２はナットのテーパー１０に対して変形し、このナットテーパーに対して４５°の角度をとる。この角度が得られると、密封効果が発生し、ナット２が締結されているためパイプは回転しない。その後パイプを回転させなければならなくなった場合、先ずナット２を緩めた後にパイプを手または適切な用具で回転させる必要がある。鼻部角度は９０°となっているため、その四角部分は殆ど瞬時にパイプに噛み付く。このような角度により、パイプが高硬度材料によって削られる事象も避けられる。
【００３２】
漏れが発生した場合、水の流れる方向は一方向しかない。その方向とは、矢印１５にて示すように、パイプに沿ってパイプ／本体間を通過し、パイプ上の凹部１８およびナット２を通過する経路である。
【００３３】
差込み部１１の形状を本発明から逸脱することなく変更することも可能である。例えば、テーパー１２および切頭部１３の形状を曲線状にしてもよい（図示せず）。
【００３４】
この特徴は、上記早期発明と比べて大幅な改善である。また、本発明による管継手の作製に要する材料量は、従来の継手および上記早期発明による継手と比較して大幅に少なくてすみ、これもさらなる利点である。
【００３５】
ナットおよび本体両方によって管継手を構成していることが理解されるべきである。
【図面の簡単な説明】
【００３６】
【図１】従来の管継手の断面図である。
【図２】本発明者による早期の発明の管継手の断面図である。
【図３】本発明によるカップリング本体の断面図である。
【図４】図３に示すカップリングと共に用いられるナットの断面図である。
【図５】図３中において参照符号１１にて示す差込み部端部の詳細図である。
【図６】本発明によるＴ字型本体の断面図である。
【図７】Ｔ字型本体およびナットの断面図であり、本発明によるパイプの取り付け方法を示す。
【図１】
2004527704.tif 000003
【図２】
2004527704.tif 000004
【図３】
2004527704.tif 000005
【図４】
2004527704.tif 000006
【図５】
2004527704.tif 000007
【図６】
2004527704.tif 000008
【図７】
2004527704.tif 000009
【国際公開パンフレット】
2004527704.tif 000010
2004527704.tif 000011
2004527704.tif 000012
2004527704.tif 000013
2004527704.tif 000014
2004527704.tif 000015
2004527704.tif 000016
2004527704.tif 000017
2004527704.tif 000018
2004527704.tif 000019
2004527704.tif 000020
2004527704.tif 000021
【手続補正書】
【提出日】平成15年3月1日(2003.3.1)
【手続補正１】
【補正対象書類名】特許請求の範囲
【補正対象項目名】全文
【補正方法】変更
【補正の内容】
【特許請求の範囲】
【請求項１】
本体およびナットを備える管継手であって、
前記本体は少なくとも１つのスリーブを有し、前記スリーブは、パイプ端部を密接な様態で受け入れるようにされ、雄ネジ切部および差込み部を有し、前記差込み部は、切頭鼻部および部分的にテーパー付けされた外側前方部を自身の先端部において有し、前記差込み部の前方部上の外側テーパーの角度は、前記スリーブを通過する横断部に対して５０°と８０°との間であり、
前記ナットは前記スリーブ上の雄ネジ切部と整合する雌ネジ切部と、前記雌ネジ切部の遠端部にある内部テーパーとを有し、前記ナット上の内部テーパーの角度は、前記外側テーパーの角度よりも少なくとも１０°少なくかつ前記ナットを通過する横断部に対して５０°〜３０°の範囲であり、
前記前方部、テーパーおよび雌ネジ切部の構成は、前記スリーブおよび前記ナットがねじ締結されると、前記差込み部の前方部は前記ナットの内部テーパーと接触して内側方向に撓み、これにより前記スリーブ内のパイプ端部を把握および密封するような構成になっている管継手。
【請求項２】
前記差込み部の前方部上の外側テーパーの角度は、９０°の鼻部に対して７０°で伸び、前記ナット上の内部テーパーは４５°である、請求項１に記載の管継手。
【請求項３】
前記本体はカップリングである、前記請求項のいずれかに記載の管継手。
【請求項４】
前記本体はティーである、請求項１〜３のいずれかに記載の管継手。
【請求項５】
前記本体はベンドである、請求項１〜３のいずれかに記載の管継手。
【請求項６】
前記本体はクロスである、請求項１〜３のいずれかに記載の管継手。
【請求項７】
パイプを接合する方法であって、前記請求項のいずれかに記載の管継手にパイプを挿入し、前記スリーブおよびナットを共にねじ締結する方法。
【手続補正２】
【補正対象書類名】明細書
【補正対象項目名】全文
【補正方法】変更
【補正の内容】
【発明の詳細な説明】
【技術分野】
【０００１】
本発明は、パイプを相互接続させる際およびパイプを他の取り付け用構成部品に接続させる際に用いられる管継手に関する。
【背景技術】
【０００２】
従来の管継手は、パイプを相互接続させる際およびパイプを他の取り付け用構成部品に接続させる際に用いられる。最も簡単な形態の管継手の場合、管継手が含む本体には外部ねじ込み式ソケットが付いており、この外部ねじ込み式ソケットには、パイプ端部がエンドストップに突き当たるまでパイプ端部が挿入される。パイプ端部がソケットに挿入される前、パイプ端部は内部ねじ込み式ナットおよびフェルールに通される。フェルールは、その形状から配管業界において「オリーブ」と呼ばれることが多い。フェルールはパイプを包囲し、ソケット端部と接触する。ナットがソケットにねじ込まれ締結されると、オリーブはパイプに当たって砕け、これにより、シールと、パイプを把握してパイプがソケットから抜けるのを防ぐ手段とが形成される。この本体には、用途に応じてソケットを１つ、２つ、または３つ以上設けることができる。本体の例としては、ティー、ベンド、カップリングおよびクロスがある。
【０００３】
図面中、図１は、従来の管継手を用いて、パイプを相互接続させ、他の取り付け用構成部品に接続させる様態を示す。
【０００４】
図１は、水が流れて漏れる経路が３つあり得ることを示している。
【０００５】
矢印４は、パイプとオリーブとの間で水が流れ得ることを示す。矢印５は、水がまず本体とオリーブとの間で流れ、その後オリーブとナットとの間で流れ得ることを示す。矢印６は、水がナットと本体との間で流れ得ることを示す。
【０００６】
図面中、図２を参照して、本発明者による早期の発明による継手が示されている。これは、この発明の場合、水が流れ得る経路は２つあることを示している。通常水漏れは無いが、いくつかの場合に漏れが発生し得る可能性がある。漏れがある場合、矢印９にて示すように水は本体とナットとの間を流れるか、または、矢印８にて示すようにパイプとナットとの間を流れ得る。
【０００７】
この早期の発明の場合、従来技術に対して特に以下のような利点が得られる。
【０００８】
ｌ．水漏れの可能性がある経路の数が３つから２つに低減された点。
【０００９】
２．同様の継手を製造するのに必要な材料の量を大幅に低減できた点。
【発明の開示】
【発明が解決しようとする課題】
【００１０】
本発明の目的は、上記の利点をさらに改善することである。
【課題を解決するための手段】
【００１１】
本発明による管継手は、本体およびナットを備える管継手であって、前記本体は少なくとも１つのスリーブを有し、前記スリーブは、パイプ端部を密接な様態で受け入れるようにされ、雄ネジ切部および差込み部を有し、前記差込み部は、切頭鼻部および部分的にテーパー付けされた外側前方部を自身の先端部において有し、前記差込み部の前方部上の外側テーパーの角度は、前記スリーブを通過する横断部に対して５０°と８０°との間であり、前記ナットは前記スリーブ上の雄ネジ切部と整合する雌ネジ切部と、前記雌ネジ切部の遠端部にある内部テーパーとを有し、前記ナット上の内部テーパーの角度は、前記外側テーパーの角度よりも少なくとも１０°少なくかつ前記ナットを通過する横断部に対して５０°〜３０°の範囲であり、前記前方部、テーパーおよび雌ネジ切部の構成は、前記スリーブおよび前記ナットがねじ締結されると、前記差込み部の前方部は前記ナットの内部テーパーと接触して内側方向に撓み、これにより前記スリーブ内のパイプ端部を把握および密封するような構成になっている。
【００１２】
さらに、本発明による管継手において、前記差込み部の前方部上の外側テーパーの角度は、９０°の鼻部に対して７０°で伸び、前記ナット上の内部テーパーは４５°である。
【００１３】
本発明による管継手中の本体はカップリングであってもよい。
【００１４】
本発明による管継手中の本体はティーであってもよい。
【００１５】
本発明による管継手中の本体はベンドであってもよい。
【００１６】
本発明による管継手中の本体はクロスであってもよい。
【００１７】
本発明による管継手中の本体は止めであってもよい。
【００１８】
さらに、本発明は、パイプを接合する方法を含む。この方法において、本発明による管継手にパイプを挿入し、前記スリーブおよびナットを共にねじ締結する。
【発明の効果】
【００１９】
本発明によれば、漏れが発生した場合、水の流れる方向は一方向しかない。その方向とは、パイプに沿ってパイプ／本体間を通過し、パイプ上の凹部およびナットを通過する経路である。
【００２０】
この特徴は、上述の早期発明と比べて大幅な改善である。また、本発明による管継手の作製に要する材料量は、従来の継手および上述の早期発明による継手と比較して大幅に少なくてすみ、これもさらなる利点である。
【００２１】
本発明による管継手は、国内、産業、商業、農業部門など、無限の用途に用いられる。
【発明を実施するための最良の形態】
【００２２】
本発明の一形態は、図３に示すカップリング本体１および図４に示すナット２を含む管継手である。カップリング本体１の両端部には、雄ネジ１４および差込み部１１が設けられている。差込み部１１の詳細を図５に示す。この差込み部には、角度７０°のテーパー１２と、角度９０°の鼻部１３とがある。内部止め２２が設けられている。この止め２２は、取り付け対象パイプの端部と隣接する（図７を参照）。
【００２３】
ナット２はスリーブ２０を有し、スリーブ２０は、カップリング本体１の雄ネジ１４と整合する雌ネジ１９を有する。雌ネジ１９は、ナット２の一開口部から始端し、遠端部近隣のテーパー１０に向かって内側に伸びる。テーパー１０から他開口端部に向かって円筒部２１がある。カップリング本体１の代わりに、図６に示す開口部が３つあるＴ字型本体１．１やあるいは開口部が４つあるクロス（図示せず）を用いてもよい。各分岐には、雄ネジ１４と、テーパー１２および扁平鼻部１３を有する差込み部１１とがある。
【００２４】
本発明の作動方法については、図７を参照すると最良に理解できる。
【００２５】
パイプ７がナット２中を通過し、止め２２に押し付けられる。参照符号１７において、Ｔ字型本体１．１にはめ込まれる前のナットが示されている。参照符号１６において、圧縮状態のナット（すなわち、はめ込みおよび締結後のナット）が示されている。差込み部１１がナット２の遠端部に近付くと、そのテーパー１２はテーパー１０と係合し、内側に撓む。
【００２６】
９０°の鼻部１３は、パイプ７に「噛み」付いてパイプ７を把握する。
【００２７】
差込み部１１上のテーパー部分１２は７０°であってもよく、ナット２上のテーパー１０は４５°であってもよい。この構成により、ナット２締結に必要なトルクレベルが大幅に低減される。ナット２の締結が進むにつれ、テーパー１２はナットのテーパー１０に対して変形し、このナットテーパーに対して４５°の角度をとる。この角度が得られると、密封効果が発生し、ナット２が締結されているためパイプは回転しない。その後パイプを回転させなければならなくなった場合、先ずナット２を緩めた後にパイプを手または適切な用具で回転させる必要がある。鼻部角度は９０°となっているため、その四角部分は殆ど瞬時にパイプに噛み付く。このような角度により、パイプが高硬度材料によって削られる事象も避けられる。
【００２８】
漏れが発生した場合、水の流れる方向は一方向しかない。その方向とは、矢印１５にて示すように、パイプに沿ってパイプ／本体間を通過し、パイプ上の凹部１８およびナット２を通過する経路である。
【００２９】
差込み部１１の形状を本発明から逸脱することなく変更することも可能である。例えば、テーパー１２および切頭部１３の形状を曲線状にしてもよい（図示せず）。
【００３０】
この特徴は、上記早期発明と比べて大幅な改善である。また、本発明による管継手の作製に要する材料量は、従来の継手および上記早期発明による継手と比較して大幅に少なくてすみ、これもさらなる利点である。
【００３１】
ナットおよび本体両方によって管継手を構成していることが理解されるべきである。
【図面の簡単な説明】
【００３２】
【図１】従来の管継手の断面図である。
【図２】本発明者による早期の発明の管継手の断面図である。
【図３】本発明によるカップリング本体の断面図である。
【図４】図３に示すカップリングと共に用いられるナットの断面図である。
【図５】図３中において参照符号１１にて示す差込み部端部の詳細図である。
【図６】本発明によるＴ字型本体の断面図である。
【図７】Ｔ字型本体およびナットの断面図であり、本発明によるパイプの取り付け方法を示す。




【国際調査報告】
2004527704.tif 000022
2004527704.tif 000023
2004527704.tif 000024